(57)【要約】      （修正有）【課題】写真の収蔵保管が主な用途のため利用頻度の少なかった従前のアルバムを、頁を見開くだけの動作で、鑑賞者にダイナミックな感動を喚起し、且つ、利用用途をも広げる、多用途アルバムを提供する。【解決手段】 多用途アルバム1の当該見開き頁を開く動作でポップアップ機構４を作動させて、写真等のカードを挿入したカード用ホルダー２とホルダー周辺の装飾用シート３を立体状の空間構成態に変化させ、且つ演出用装飾６を施すことによって、鑑賞者にダイナミックな感動を与える。さらに自作ストーリーの文面シート９を用いて自家製の立体式物語本に、メッセージの文面シート９を用いて立体式グリーテイング冊子に、保持装具１０を用いて立体式カード展示体に、利用用途を拡大させる。【選択図】図２
0003138817.tif 000002
【実用新案登録請求の範囲】
【請求項１】
アルバムの見開き頁に畳み込んで収蔵させた、周縁部分に第１装飾用シートを有するカード用ホルダーと、当該ホルダー周辺に配した第２装飾用シートとを、同様に畳み込んで収蔵させたポップアップ機構を介して当該見開き頁の台紙と接合させ、頁を見開く動作で前記ポップアップ機構を作動させて、前記カード用ホルダー、及び当該カード用ホルダー周辺に配した前記第２装飾用シートを立体状の空間構成態に形成する多用途アルバム。
【請求項２】
第１装飾用シートと第２装飾用シートとアルバムの見開き頁の台紙上とのすべて又はいずれかに、カード用ホルダーに挿入するカードの内容を予測した演出用装飾を施した実用新案登録請求の範囲１記載の多用途アルバム。
【請求項３】
第１装飾用シートに外周装飾部と内周装飾部と当該装飾部間に設けた切り取り点線孔と、さらにカード挿入部の背面に設けた位置決め用切り欠き片とのすべて又はいずれかを備えたカード用ホルダーを有する実用新案請求の範囲１、及び２記載の多用途アルバム。
【請求項４】
見開き頁に収蔵した写真等のカードの内容に沿った自作ストーリーを文面シートにして、当該頁のカード用ホルダーの一部に挿入して成る自家製の立体式物語本、もしくは送り主の写真とメッセージの文面シートを当該頁のカード用ホルダーに挿入して成る立体式グリーテイング冊子、を供する実用新案登録請求の範囲１、及び２、及び３に記載の多用途アルバム。
【請求項５】
見開らいた左右頁の閉じ込みを防ぐクリップ式又はバインダー式の保持装具用いて、前記立体状の空間構成態を保持し陳列して成る立体式カード展示体、を供する実用新案登録請求の範囲１、及び２、及び３に記載の多用途アルバム。
【考案の詳細な説明】
【技術分野】
【０００１】
本考案は、記録写真を収蔵保管するアルバムに関する。
【背景技術】
【０００２】
記録写真を収蔵保管し、記録写真周辺に演出用装飾を設けたアルバムは従来から知られている。
【特許文献１】特開２００４−１８８６６３号公報
【考案の開示】
【考案が解決しようとする課題】
【０００３】
しかしながら、収蔵した記録写真は平面的に配置されており、写真周辺に施された演出用装飾も写真の内容との関連が希薄であるために、鑑賞者に感動を喚起し得ない欠点があった。しかも、用途が記録写真の収蔵保管と僅少な機会の鑑賞に限られているために利用頻度は低く、例えば、記録写真を展示する場合には別途に写真展示用具が必要となる等、多用途に利用できない欠点があった。
【課題を解決するための手段】
【０００４】
本考案は、鑑賞時に、見開き頁に畳み込んで収蔵させた、写真、画像カード、文面シート等を挿入したカード用ホルダーと、当該カード用ホルダー周辺に配した第２装飾用シートを、同様に当該見開き頁に畳み込んで収蔵したポップアップ機構を介して立体状の空間構成態に形成させ、且つ前記カード用ホルダー周縁部分に設けた第１装飾用シートと、前記カード用ホルダー周辺に配した前記第２装飾シートと、前記見開き頁の台紙上とに、当該頁に収蔵したカードに関連した演出用装飾を施すことで、鑑賞者に感動を喚起させる。さらに、前記カード用ホルダーには、カードの種別、大、小、厚さの差異に拘わらず、損傷無く相互に挿出入できる構造を持たせて、当該カード用ホルダーの一部に自作ストーリーの文面シートを挿入して自家製の立体式物語本に供し、もしくは前記カード用ホルダーに送り主の写真とメッセージの文面シートを挿入してグリーテイング冊子に供し、あるいは当該見開き頁の閉じ込みを防ぐクリップ式又はバインダー式の保持装具を用いて、前記立体状の空間構成態を保持し陳列して立体式カード展示体に供して、利用用途をひろげる。これらにより、上記課題を解決するものである。
【考案の効果】
【０００５】
本考案の多用途アルバムは、当該頁を見開くという簡単な動作によって、カード用ホルダーに挿入した写真等のカードと、当該カード周辺に配した第２装飾用シートを、立体的な空間構成態に変化させて、鑑賞者に従前には無いダイナミックな印象を与え、且つ前記カード用ホルダーの周縁部分と周辺に配した装飾用シート、及び当該見開き頁の台紙上に、挿入した前記写真等のカードに関連した演出用装飾を施こすことで、一層の感動を喚起する効果を有する。さらに、前記カード用ホルダーに、カードの種別、大、小、厚みの差異に拘わりなく相互に挿出入できる構造を備えることで、当該頁に収蔵した写真等のカードの内容に沿った自作ストーリ―を文面シートにして、当該頁のカード用ホルダーの一部に挿入することで、自家製の立体式物語本に成り、もしくはアルバムを贈呈する際などに送り主の写真とメッセージの文面カードを当該頁のカード用ホルダーに挿入することで、立体式グリーテイング冊子に成り、あるいは保持装具で前記立体上の空間構成態を保持し陳列することで、立体式カード展示体に成る。同様に、立体式案内状、立体式招待状、立体式電報、立体式カレンダー、立体式クリスマスカード、立体式インテリア装飾具にも成り、従前のアルバムが収蔵保管と僅少な機会の鑑賞用に限られていた用途を大幅に拡大させる効果を有する。加えてLED等による光の効果、音楽や音声の効果を付加することにより、本考案の多用途アルバムの効用をますます増大させるこができる。
【考案を実施するための最良の形態】
【０００６】
図１に示すように、多用途アルバム１を構成する見開き頁の一部、又は全部に、当該多用途アルバム１の外形からはみ出すことなく、且つ破損しない状態で、周縁部分に第１装飾用シート１１を有するカード用ホルダー２と当該カード用ホルダー周辺に配した第２装飾用シート３とポップアップ機構４とを畳み込んで収蔵する。前記カード用ホルダー２と当該カード用ホルダー周辺に配した前記第２装飾用シート３は、前記ポプアップ機構４を介して当該頁の台紙５と接合させる。
【０００７】
図２、及び図３に示すように、当該頁を見開く動作から生じる力を利用して、畳み込まれている前記ポップアップ機構４を作動させ、畳み込まれている前記カード用ホルダー２と当該カード用ホルダー周辺に配した前記第２装飾用シート３を、破損しない軌跡で、前方、左右、上下などに移動回転させて、複数層からなる立体状の空間構成態Ａ又はＢに変化させる。この時、前記カード用ホルダー２と当該カード用ホルダー周辺に配した前記第２装飾用シート３は、相互の鑑賞に支障が生じない配置で空間構成態を形成する。
【０００８】
前記カード用ホルダー２周縁部分に設けた第１装飾用シート１１と当該カード用ホルダー周辺に配した第２装飾用シート３と該当見開き頁の台紙５上には、予め挿入するカードの内容を予測した演出用装飾６、例えば、誕生写真、入学写真、結婚写真、キャラクターカード、等を予測した演出用の形状、図柄、彩色、文字、凹凸加工など、を施す。なお別途仕様で、前記カード用ホルダー２周縁部に設けた第１装飾用シート１１、第２装飾用シート３、台紙５に、自作の演出用装飾を施すことができる無地白色のものを保有する。
【０００９】
前記カード用ホルダー２周縁部分に設けた第１装飾用シート１１は外周装飾部１１ａと内周装飾部１１ｂから成り、当該外周装飾部１１ａと内周装飾部１１ｂの間に設けた切り取り点線孔１２を用いて内周装飾部１１ｂを剥離することで、大版カード１３挿入時には、当該カード用ホルダー２の前面開口を広げられる構造を有し、且つ当該カード用ホルダー２のカード挿入部１５には、カードの厚みの差を吸収できる奥行きを与え、小版カード１４挿入時には、当該カード挿入部１５の背面１６の三方に備えた切り欠き片１７を起こして位置決めできる機構を持たせ、当該カード用ホルダー２に、写真７、画像カード８、文面シート９等のカードを、当該カードの大、小、厚みの差異に拘わらず、損傷無く相互に挿出入できる構造を備える。
【００１０】
当該頁を見開いて立体状の空間構成態Ａ又はＢを形成させることで、収蔵した写真７等のカードを立体的に鑑賞できるアルバムと成り、前項０００９の構造を用いて、当該頁に収蔵したカード用ホルダー２に挿入した写真７等のカードの内容に沿った自作ストーリーの文面シート９を当該カード用ホルダー２の一部に挿入すると、自家製の立体式物語本と成り、もしくはアルバム送呈時等に送り主の写真とメッセージ文面シート９をカード用ホルダー２に挿入すると、立体式グリーテイング冊子と成り、もしくは見開らいた左右頁の閉じ込みを防ぎ、前記立体状の空間構成態Ａ又はＢを保持する、クリップ式又はバインダー式の保持装具１０を用いて当該立体状の空間構成態Ａ又はＢを保持し陳列すると、立体式シート展示体に成る。利用を了えて収納する際には、見開き頁を閉じる動作により、畳み込んで収蔵保管する。
【図面の簡単な説明】
【００１１】
【図１】本考案に係わる多用途アルバムを閉じた状態の図である。
【図２】本考案に係わる多用途アルバムの垂直の見開き頁を開けた状態の図である。
【図３】本考案に係わる多用途アルバムの水平の見開き頁を開いた状態の図である。
【図４】本考案に係わるカード用ホルダーの正面図である。
【図５】本考案に係わるカード用ホルダーの斜視断面図である。
【符号の説明】
【００１２】
１  多用途アルバム
２  カード用ホルダー
３  第２装飾用シート
４  ポップアップ機構
５  多用途アルバムの台紙
６  演出用装飾
７  写真
８  画像カード
９  文面シート
１０  保持装具
Ａ  垂直形態の立体状の空間構成態
Ｂ  水平形態の立体状の空間構成態
１１  第１装飾用シート
１１ａ外周装飾部
１１ｂ内周装飾部
１２  切り取り点線孔
１３  大版カード
１４  小版カード
１５  カード挿入部
１６  背面
１７  切り欠き片
１８  前面透明カバー
【図１】
0003138817.tif 000003
【図２】
0003138817.tif 000004
【図３】
0003138817.tif 000005
【図４】
0003138817.tif 000006
【図５】
0003138817.tif 000007
【手続補正書】
【提出日】平成19年9月26日(2007.9.26)
【手続補正１】
【補正対象書類名】実用新案登録請求の範囲
【補正対象項目名】全文
【補正方法】変更
【補正の内容】
【実用新案登録請求の範囲】
【請求項１】
アルバムの見開き頁に畳み込んで収蔵させた、第１装飾用シートを周縁部分に有するカード用ホルダーと、該カード用ホルダーの周辺に配した第２装飾用シートとを、同様に該見開き頁に畳み込んで収蔵させたポップアップ機構を介して該見開き頁の台紙と接合させ、該見開き頁を開く動作で該ポップアップ機構を作動させて、該第１装飾用シートを有するカード用ホルダーと該第２装飾用シートとを、立体状の空間構成態に形成する多用途アルバム。
【請求項２】
第１装飾用シートと第２装飾用シートと見開き頁の台紙との、全て又はいずれかに、該見開き頁のカード用ホルダーに挿入するカードの内容を予測した演出用装飾を施した、請求項１に記載の多用途アルバム。
【請求項３】
第１装飾用シートに外周装飾部と内周装飾部と該両装飾部間に設けた切り取り点線孔と、さらにカード挿入部の背面に設けた位置決め用の切り欠き片との、全て又はいずれかを備えたカード用ホルダーを有する、請求項１又は２に記載の多用途アルバム。
【請求項４】
該見開き頁のカード用ホルダーに挿入したカードの内容に沿った物語を自作し、文面シートにして、該見開き頁のカード用ホルダーの一部に挿入することで、自家版の立体式物語本と成る、請求項１〜３のいずれか１項に記載の多用途アルバム。
【請求項５】
該見開き頁の閉じ込みを防ぐクリップ式又はバインダー式の保持装具を用いて、前記立体状の空間構成態を保持し陳列することで、立体式カード展示体と成る、請求項１〜３のいずれか１項に記載の多用途アルバム。
【手続補正２】
【補正対象書類名】明細書
【補正対象項目名】０００４
【補正方法】変更
【補正の内容】
【０００４】
本考案の多用途アルバムは、該見開き頁に、第１装飾用シートを周縁部分に有するカード用ホルダーと、該カード用ホルダーの周辺に配した第２装飾用シートと、ポップアップ機構とを畳み込んで収蔵し、該第１装飾用シートを有するカード用ホルダーと該第２装飾用シートは、該ポップアップ機構を介して該見開き頁の台紙と接合させ、該見開き頁を開く動作で該ポップアップ機構を作動させて、該第１装飾用シートを有するカード用ホルダーと該第２装飾用シートとを立体状の空間構成態に変化させ、さらに該第１装飾用シートと該第２装飾用シートと該見開き頁の台紙との全て又はいずれかに、該見開き頁のカード用ホルダーに挿入するカードの内容を予測した演出用装飾、例えば誕生写真を予測した演出用の形状、図柄、彩色、文字、凹凸加工、装飾片貼り付け加工の全て又はいずれか、を施こして、挿入したカードを周辺の演出用装飾と共に立体状にポップアップする立体式アルバムにする。前記カード用ホルダーには、大版カードと小版カードを両用するために、該第１装飾用シートに外周装飾部と内周装飾部と該両装飾部間の切り取り点線孔と、さらに該カード挿入部の背面に位置決め用の切り欠き片とを設け、大版カードを挿入する場合には、該切り取り点線孔にて該内周装飾部を取り外して該カード用ホルダーの前面開口を広げて挿入し、小版カードを挿入する場合には、該内周装飾部は取り外さずに、該切り欠き片を起こし該小版カード用の位置に挿入する。なお、同一サイズのカード用として、カード用ホルダーの第１装飾用シートに外周装飾部のみを有し、該カード挿入部に切り欠き片のない仕様のものを備える。上記手段によって、該カード用ホルダーに、写真、画像カード、文面シート等のカードを選択して挿出入することで、該多用途アルバムの用途を、自家版の立体式物語本、等へと拡げる。さらに該多用途アルバムの見開き頁の閉じ込みを防ぐクリップ式又はバインダー式の保持装具を用いて、該立体状の空間構成態を保持し陳列して、立体式カード展示体を形成することで、該多用途アルバムの用途を拡大させる。これらにより、上記課題を解決するものである。
【手続補正３】
【補正対象書類名】明細書
【補正対象項目名】０００５
【補正方法】変更
【補正の内容】
【０００５】
本考案の多用途アルバムは、見開き頁を開くことで、該見開き頁のカード用ホルダーに挿入した写真等のカードを、周辺の装飾用シートと共に立体状の空間構成態に形成させ、且つ該カードを、該カード周辺の装飾用シートに施した演出用装飾で際立たせて、鑑賞者に、従前に無いダイナミックな感動を喚起せしめ、さらに該カード用ホルダーに在るカードを差し替えていくことで、常に新しい感動を与え続け得る立体式アルバムと成る。さらに、該多用途アルバムは、カードの種別もしくは組み合わせを選択して該カード用ホルダーに挿入することで、使用者が自ら用途を拡げることができ、主要な例として、該見開き頁のカード用ホルダーに挿入した写真又は画像カードの内容に沿った物語を自作し、文面シートにして、該見開き頁のカード用ホルダーの一部に挿入すると、自家製の立体式物語本に供することができる。さらに前記立体式アルバム又は前記立体式物語本の見開き頁を開いて形成した立体状の空間構成態の閉じ込み防ぐ保持装具を用いて保持し陳列すると、立体式フォトフレーム、もしくは立体式インテリア装飾体の用途となる。これらにより、本考案の多用途アルバムは、従前のアルバムには無い効果を備えるものである。
【手続補正４】
【補正対象書類名】明細書
【補正対象項目名】０００６
【補正方法】変更
【補正の内容】
【０００６】
図１、図２、図３に示すように、多用途アルバム１を構成する見開き頁の一部又は全部に、該多用途アルバム１の外形からはみ出すことなく、且つ損傷し得ない状態で、第１装飾シート１１を周縁部分に有するカード用ホルダー２と、当該カード用ホルダー２の周辺に配した第２装飾用シート３と、ポップアップ機構４とを畳み込んで収蔵し、さらに該第１装飾シート１１を有するカード用ホルダー２と該第２装飾用シート３は、該ポップアプ機構４を介して該見開き頁の台紙５と接合させる。
【手続補正５】
【補正対象書類名】明細書
【補正対象項目名】０００７
【補正方法】変更
【補正の内容】
【０００７】
図２、図３に示すように、多用途アルバム１を見開く動作から生じる力を利用して、該見開き頁に畳み込んだポップアップ機構４を作動させ、同様に該見開き頁に畳み込んでいる、該第１装飾用シート１１を有するカード用ホルダー２と該第２装飾用シート３とを、損傷しない軌跡で、前方又は左右又は上下又は斜め方向のいずれかに移動又は回転させて、複数層からなる立体状の空間構成態Ａ又はＢに変化させる。この時、該第１装飾用シート１１を有するカード用ホルダー２と該第２装飾用シート３は、相互の鑑賞に支障が生じない配置にして立体状の空間構成態Ａ又はＢを形成する。
【手続補正６】
【補正対象書類名】明細書
【補正対象項目名】０００８
【補正方法】変更
【補正の内容】
【０００８】
図２、図３に示すように、カード用ホルダー２の周縁部分に設けた第１装飾用シート１１と該カード用ホルダーの周辺に配した第２装飾用シート３と該見開き頁の台紙５には、該カード用ホルダーに挿入するカードの内容を予測した演出用装飾６、例えば誕生写真、入学写真、結婚写真、キャラクターカード等のいずれかを予測した演出用の形状、図柄、彩色、文字、凹凸加工、装飾片貼り付け加工等の全て又はいずれか、を施す。なお別途仕様で、前記第一装飾用シート１１と前記第２装飾用シート３と前記見開き頁の台紙５に、自作の演出用装飾を施すことができる無地白色のものを備える。
【手続補正７】
【補正対象書類名】明細書
【補正対象項目名】０００９
【補正方法】変更
【補正の内容】
【０００９】
図４、図５に示すように、カード用ホルダー２は、大版カード１３と小版カード１４を両用するために、該第１装飾用シート１１に外周装飾部１１ａと内周装飾部１１ｂと該両装飾部間の切り取り点線孔１２と、さらに該カード挿入部１５の背面１６に位置決め用の切り欠き片１７とを設け、大版カード１３を挿入する場合には、該切り取り点線孔１２にて該内周装飾部１１ｂを取り外して該カード用ホルダー２の前面開口を広げて挿入し、小版カード１４を挿入する場合には、該内周装飾部１１ｂは取り外さずに、該切り欠き片１７を起こし該小版カード１４用の位置に挿入する。上記手段によって、該カード用ホルダーは、用途に沿って選択した写真７、画像カード８、文面シート９等の、カードの種別と大版カード１３と小版カード１４の差異にかかわらず、該カード類を損傷無く相互に挿出入できる構造を持つ。なお、同一サイズのカード用として、カード用ホルダー２の第１装飾用シート１１に外周装飾部１１ａのみを有し、該カード挿入部１５に切り欠き片１７のない仕様のものを備える。
【手続補正８】
【補正対象書類名】明細書
【補正対象項目名】００１０
【補正方法】変更
【補正の内容】
【００１０】
図２、図３に示すように、選択した写真７を、該写真７の挿入を予測した演出用装飾６を持つ多用途アルバム１のカード用ホルダー２に挿入し、該見開き頁を開いて立体状の空間構成態Ａ又はＢを形成させ、さらに該カード用ホルダーに在るカードを差し替えていくことで、常に新しい内容を収蔵した立体式アルバムと成り、もしくは見開き頁のカード用ホルダー２にある写真７又は画像カード８の内容に沿った物語を自作し、文面シート９にして、当該カード用ホルダー２の一部に挿入することで、自家版の立体式物語本と成り、もしくは前記立体式アルバムを送呈する時に、贈り主の写真７とメッセージの文面シート９を当該カード用ホルダー２に挿入すると立体式グリーティング冊子と成り、さらに該多用途アルバムに収蔵したカード用ホルダーに、カードを選択し組み合わせて挿入することで、立体式案内冊子、又は立体式カレンダー、又は立体式パンフレット、等に成る。さらに前記立体式アルバムの見開き頁を、前記保持装具１０を用いて保持し該立体状の空間構成態Ａ又はＢを陳列すると、立体式フォトフレームと成り、さらに画像カード又はキャラクターカード又は商品カード等を該カード用ホルダーに挿入し形成した立体状の空間構成態Ａ又はＢを、前記保持装具１０で保持し陳列すると、立体式インテリア装飾体、又は立体式販売促進用ＰＯＰ、等に成る。加えて，前記見開き頁を開く動作で作動するＬＥＤ等による光の効果及び音楽や音声による音響効果等を付加することにより、該多用途アルバム１の効用を高めることができる。
【手続補正９】
【補正対象書類名】明細書
【補正対象項目名】００１２
【補正方法】変更
【補正の内容】
【００１２】
１  多用途アルバム
２  カード用ホルダー
３  第２装飾用シート
４  ポップアップ機構
５  台紙
６  演出用装飾
７  写真
８  画像カード
９  文面シート
１０  保持装具
１１  第１装飾用シート
１１ａ外周装飾部
１１ｂ内周装飾部
１２  切り取り点線孔
１３  大版カード
１４  小版カード
１５  カード挿入部
１６  背面
１７  切り欠き片
１８  前面透明カバー
Ａ  垂直形態の立体状の空間構成態
Ｂ  水平形態の立体状の空間構成態
【手続補正１０】
【補正対象書類名】図面
【補正対象項目名】全図
【補正方法】変更
【補正の内容】
【図１】
0003138817.tif 000008
【図２】
0003138817.tif 000009
【図３】
0003138817.tif 000010
【図４】
0003138817.tif 000011
【図５】
0003138817.tif 000012
【手続補正書】
【提出日】平成19年10月26日(2007.10.26)
【手続補正１】
【補正対象書類名】手続補正書
【補正対象項目名】手続補正１０
【補正方法】変更
【補正の内容】
【手続補正１０】
【補正対象書類名】図面
【補正対象項目名】図２
【補正方法】変更
【補正の内容】
【図２】
0003138817.tif 000013